(57)【要約】【課題】Ｘ線照射範囲の線量率の分布測定および線量計プローブの位置調整時の操作者の負担を軽減する。【解決手段】照射対象を搭載するための搭載部に、線量計プローブを所定の軌跡で移動させるためのガイド孔を備えたファントムを配置する。線量計プローブを送り出し機構により搭載部に送り出して、ガイド孔に挿入し、ファントムの内部を移動させながら、Ｘ線の線量をモニターさせることにより、搭載部の所定のＸ線照射範囲内の線量分布を測定する。【選択図】図７
2016142631.tif 000002
【特許請求の範囲】
【請求項１】
照射対象を搭載するための搭載部と、
前記照射対象にＸ線を照射するＸ線管装置と、
前記搭載部の近傍に配置され、前記照射対象に照射されるＸ線の線量をモニターする線量計プローブと、
前記搭載部の所定のＸ線照射範囲内の線量分布を測定するために、前記線量計プローブを前記Ｘ線照射範囲内に送り出して移動させる送り出し機構と、を備えることを特徴とする放射線照射装置。
【請求項２】
請求項１に記載の放射線照射装置であって、前記送り出し機構は、前記線量計プローブを所定の軌跡で移動させるためのガイド孔を備え、前記搭載部に搭載されたファントムに、前記線量計プローブを挿入し、前記ガイド孔の長手方向に沿って移動させる機構を有することを特徴とする放射線照射装置。
【請求項３】
請求項１に記載の放射線照射装置であって、前記線量計プローブに着脱可能なファントムと、前記ファントムを退避位置から前記線量計プローブに装着するための位置まで移動させる駆動部をさらに有することを特徴とする放射線照射装置。
【請求項４】
請求項１に記載の放射線照射装置であって、前記送り出し機構は、長手方向に沿って前記線量計プローブのケーブルが固定され、巻回されたバネと、前記ケーブルが固定された前記バネを挟んで送り出す一対のローラーとを含むことを特徴とする放射線照射装置。
【請求項５】
請求項４に記載の放射線照射装置であって、前記送り出し機構は、前記巻回されたバネの中心に配置されたスリップリングをさらに含み、
前記スリップリングは、固定部と、前記固定部と電気的な接触を維持しながら回転する回転部とを有し、前記固定部には、前記ケーブルの一端が接続され、前記回転部には、線量計プローブの検出信号から線量を計測する線量計が電気的に接続されていることを特徴とする放射線照射装置。
【請求項６】
請求項１に記載の放射線照射装置であって、前記送り出し機構は、径の異なる複数の筒を伸縮可能に連結した伸縮ポールを含むことを特徴とする放射線照射装置。
【請求項７】
請求項２に記載の放射線照射装置であって、前記ファントムは、前記搭載部に搭載される照射対象を収容するトレイと同等の外形を有するリング状であり、厚さ方向の中心に周方向に沿って厚さ方向の中心に前記ガイド孔が設けられていることを特徴とする放射線照射装置。
【請求項８】
請求項２に記載の放射線照射装置であって、前記ファントムは、前記搭載部に搭載される照射対象を収容するトレイの径と同等の長さを有する直方体であり、厚さ方向の中心に直線状のガイド孔が設けられていることを特徴とする放射線照射装置。
【請求項９】
照射対象を搭載するための搭載部に、線量計プローブを所定の軌跡で移動させるためのガイド孔を備えたファントムを配置し、
線量計プローブを送り出し機構により前記搭載部に送り出して、前記ガイド孔に挿入し、前記ファントムの内部を移動させながら、Ｘ線の線量をモニターさせることにより、
前記搭載部の所定のＸ線照射範囲内の線量分布を測定することを特徴とする放射線照射装置の線量分布測定方法。
【請求項１０】
線量計プローブにファントムを装着し、
線量計プローブを送り出し機構により、照射対象物を搭載するための搭載部に送り出して、前記搭載部の所定のＸ線照射範囲内を移動させながらＸ線の線量をモニターさせることにより、前記Ｘ線照射範囲内の線量分布を測定することを特徴とする放射線照射装置の線量分布測定方法。
【請求項１１】
放射線照射装置の線量分布測定用ファントムであって、
線量計プローブをＸ線照射範囲内で所定の軌跡で移動させるための、前記軌跡に沿ったガイド孔を備えることを特徴とするファントム。
【請求項１２】
請求項１１に記載のファントムであって、照射対象を収容するトレイと同等の外形を有するリング状であり、厚さ方向の中心に周方向に沿って厚さ方向の中心に前記ガイド孔が設けられていることを特徴とするファントム。
【請求項１３】
請求項１１に記載のファントムであって、前記ファントムは、前記搭載部に搭載される照射対象を収容するトレイの径と同等の長さを有する直方体であり、厚さ方向の中心に、直線状のガイド孔が設けられていることを特徴とするファントム。
【発明の詳細な説明】
【技術分野】
【０００１】
本発明は、放射線照射装置に係り、特に輸血用血液を封入する血液バッグ（以下、血液製剤という）等にＸ線またはγ線を含む放射線を照射する放射線照射装置に関する。
【背景技術】
【０００２】
輸血には、ＧＶＨＤ（Ｇｒａｆｔ  Ｖｅｒｓｕｓ  Ｈｏｓｔ  Ｄｉｓｅａｓｅ）と呼ばれる副作用が生じることがある。これを予防するため、血液バッグ内の輸血用血液や血液製剤に対して、予め放射線を照射し、血液や血液製剤内のリンパ球を不活性化する処理が行われる。放射線としては、放射性同位元素１３７Ｃｓ（セシウム）を利用したγ線とＸ線とが用いられる。
【０００３】
血液バッグ内の輸血用血液や血液製剤へ放射線を照射する装置として、例えば特許文献１に開示された二方向照射装置が知られている。この放射線照射装置は、第一および第二のＸ線管装置を、血液バッグを搭載するトレイを挟んで上下に対向配置し、二つのＸ線管装置によって試料の上下からＸ線の照射を行う構成である。また、照射線量をモニタリングするための線量計プローブが、トレイの近傍に配置されている。これにより、トレイを回転させることなく、大線量のＸ線を均一に血液バッグに照射を行うことができる。また、Ｘ線照射線量を線量計プローブがモニターすることにより、規定の積算線量に到達したら自動的にＸ線照射を停止できる。
【先行技術文献】
【特許文献】
【０００４】
【特許文献１】実公平７−４３６７９号公報
【発明の概要】
【発明が解決しようとする課題】
【０００５】
放射線照射装置は、トレイ（Ｘ線照射範囲）内に置かれた血液バッグ等の照射対象に、既定の線量以上のＸ線が照射されることを担保する必要がある。このため、トレイの近傍に配置される線量計プローブの位置は、以下のように調整されている。まず、トレイの照射対象が配置される領域に相当するＸ線照射範囲において、照射される線量率（単位時間当たりのＸ線照射線量）の分布を測定する。測定した線量率のうち、最小の線量率を求める。線量計プローブに照射される線量率が、Ｘ線照射範囲の最小の線量率以下になるように、線量計プローブの位置を調整する。この位置の線量計プローブによって積算線量をモニターし、積算線量が規定値に到達するまでＸ線照射を継続することにより、Ｘ線照射範囲内に置かれた照射対象には必ず線量計プローブの検出した積算線量以上のＸ線が照射される。
【０００６】
上述のＸ線照射範囲の線量率の分布の測定は、線量計プローブを一旦トレイ近傍位置から取り外して、ファントムに挿入し、ファントムごとＸ線照射範囲内に配置し、Ｘ線を照射して線量を測定した後、線量計プローブをＸ線照射範囲の異なる位置に移動させ、再びＸ線を照射して線量を測定する、という動作を繰り返すことにより行われる。線量計プローブの取り外し、および、Ｘ線照射範囲への配置は、操作者によって手作業で行われる。Ｘ線照射範囲内の線量率の分布を測定した後は、再び手作業によって所定の位置へ線量計プローブを取り付け、線量率が、Ｘ線照射範囲の最小の線量率以下になるように、取り付け位置の微調整がＸ線照射を繰り返しながら行われる。Ｘ線照射装置は、Ｘ線が外部に漏れるのを防ぐための重い防護カバーで覆われており、線量計プローブが取り付けられている位置は、防護カバーを取り外さなければ触ることができない領域にある。そのため、操作者は、線量計プローブを取り外す際、ならびに、線量計プローブの位置の微調整のたびに、重い防護カバーを取り外す必要がある。
【０００７】
Ｘ線管装置から放射されるＸ線の線量は、陽極ターゲット表面が熱電子の衝突により荒れる等の経時劣化により低減するため、線量計プローブの位置調整は、定期的に行う必要がある。操作者は、定期的な調整のたびに重い防護カバーの取り外しを繰り返す必要があり、負担が大きく、防護カバーの取り外し取り付けに時間がかかる。また、Ｘ線照射範囲の複数箇所に、ファントムに挿入した線量計プローブを配置してＸ線を照射し、線量率を計測する作業にも時間がかかる。
【０００８】
本発明の目的は、Ｘ線照射範囲の線量率の分布測定および線量計プローブの位置調整時の操作者の負担を軽減することにある。
【課題を解決するための手段】
【０００９】
上記目的を達成するために、本発明の放射線照射装置は、照射対象を搭載するための搭載部と、照射対象にＸ線を照射するＸ線管装置と、搭載部の近傍に配置され、照射対象に照射されるＸ線の線量をモニターする線量計プローブと、搭載部の所定のＸ線照射範囲内の線量分布を測定するために、線量計プローブをＸ線照射範囲内に送り出して移動させる送り出し機構を備える。
【発明の効果】
【００１０】
本発明によれば、線量計プローブを送り出し機構で送り出して線量分布を自動測定できるため、Ｘ線照射範囲の線量率の分布測定および線量計プローブの位置調整時の操作者の負担を軽減することができる。
【図面の簡単な説明】
【００１１】
【図１】本発明の放射線照射装置の構成を示すブロック図。
【図２】実施形態１の放射線照射装置の断面図。
【図３】実施形態１の線量計プローブの送り出し機構の構造を示す説明図。
【図４】実施形態１のファントムの上面図。
【図５】図２の放射線照射装置にファントムを配置した状態を示す断面図。
【図６】ヒール効果による線量分布を示すグラフ。
【図７】図５のファントムに線量計プローブが挿入された状態を示す断面図。
【図８】実施形態１の線量分布測定動作を示すフローチャート。
【図９】実施形態２の放射線照射装置の断面図。
【図１０】実施形態２の線量計プローブの送り出し機構の（ａ）伸縮ポールを縮めた状態、（ｂ）延ばした状態をそれぞれ示す斜視図。
【図１１】（ａ）実施形態２のファントムの斜視図、（ｂ）実施形態２のファントムホルダーの斜視図。
【図１２】実施形態２の放射線照射装置にファントムを配置した状態を示す断面図。
【図１３】図１２のファントムに線量計プローブが挿入された状態を示す断面図。
【図１４】実施形態３の線量計プローブにファントムが装着されることを示す説明図。
【発明を実施するための形態】
【００１２】
以下、本発明の実施形態を添付図面に基づいて説明する。なお、発明の実施の形態を説明するための全図において、同一機能を有するものは同一符号を付し、その繰り返しの説明を省略する。
【００１３】
図１は、本発明の放射線照射装置の概略構成図である。図１に示す放射線照射装置は、照射対象１３ａの上下二方向からそれぞれＸ線を照射する二方向照射装置である。照射対象１３ａは、血液バッグに入った輸血用血液や血液製剤等である。
【００１４】
図１の放射線照射装置は、照射対象１３ａを収容し、所定のＸ線照射範囲内に配置するためのトレイ１３と、トレイ１３を支持するトレイ搭載部１０とを備えている。トレイ搭載部１０を挟んで上下に対向するようにＸ線管装置２、３が配置されている。Ｘ線管装置２，３は、トレイ１３内の照射対象１３ａに上下二方向からＸ線線束２ａ，３ａを照射する。Ｘ線管装置２，３とトレイ搭載部１０との間には、Ｘ線フィルター１１，１２が配置されている。
【００１５】
トレイ１３の側面近傍には、線量計プローブ７ａが配置されている。線量計プローブ７ａは、線量計７に接続されている。線量計７は、線量計プローブ７ａに照射されたＸ線量を計測する。線量計プローブ７ａの位置は、その位置でＸ線管装置２，３から照射される線量率が、トレイ１３内（Ｘ線照射範囲内）のＸ線照射分布のうち最小の線量率以下になるように、調整されている。これにより、線量計プローブ７ａに照射される積算線量を線量計７でモニターし、積算線量が規定値に到達するまでＸ線管装置２，３からＸ線照射を継続することにより、トレイ１３内（Ｘ線照射範囲内）に置かれた照射対象１３ａには線量計プローブ７ａが検出した積算線量以上のＸ線を照射できる。
【００１６】
また、線量計プローブ７ａの上下には、照射対象１３ａの厚みに応じて、線量計プローブ７ａが検出する線量を補正するための補正フィルター２５が、着脱可能に備えられている。補正フィルター２５を線量計プローブ７ａにかぶせた場合には、線量計プローブ７ａが検出する線量が低下し、厚い照射対象１３ａの中心部と同等の線量を線量計プローブ７ａにより検出することができる。
【００１７】
トレイ１３、トレイ搭載部１０、線量計プローブ７ａおよびＸ線管装置２，３は、Ｘ線の遮蔽体１ａにより覆われている。これにより、外部へＸ線が漏れ出るのを防いでいる。線量計プローブ７ａ周辺の遮蔽体１ａは取り外し可能であり、その部分の遮蔽体１ａを防護カバー３０と呼ぶ。
【００１８】
トレイ１３およびトレイ搭載部１０が配置され、Ｘ線フィルター１１と１２で挟まれた空間は、Ｘ線照射室１ｂを構成している。トレイ搭載部１０は、Ｘ線照射室１ｂからトレイ１３を搭載した状態で引き出し可能に構成されている。
【００１９】
トレイ１３は、厚い照射対象１３ａを内装するための厚いものと、薄い照射対象１３ａを内装するための薄いものの２種類以上が用意されていることがある。その場合、トレイ１３には各々バーコードが取り付けられている。放射線照射装置は、バーコードを読み取るためのバーコードリーダー１４を備えている。放射線照射装置は、制御装置６を備え、制御装置６は、バーコードリーダー１４の読み取ったバーコード情報を受け取ってトレイの厚みを認識する。
【００２０】
Ｘ線管装置２、３には、高電圧発生ユニット４が接続されている。高電圧発生ユニット４は、２つの高電圧発生装置４ａ，４ｂを含み、上部のＸ線管装置２は高電圧発生装置４ａによって高電圧が印加され、下部のＸ線管装置３は高電圧発生装置４ｂによって高電圧が印加される。また、Ｘ線管装置２，３には、冷却装置５が接続され、冷却装置５からの冷却油の供給によって陽極が冷却される。冷却装置６には、循環式冷却装置９もしくは水道が接続され、Ｘ線管装置２および３によって温められた冷却油を冷却する。
【００２１】
制御装置６には、操作盤（パットパネル）８が接続され、Ｘ線管装置２、３の線量、トレイ１３の厚さ等のＸ線照射条件の設定、各種データの登録等を操作者から受け付ける。また、操作盤８は、表示装置を含み、制御装置６は操作者へのメッセージを表示する。
【００２２】
遮蔽体１ａに覆われたＸ線管装置２，３、トレイ１３、トレイ搭載部１０等と、制御装置６、操作盤８、線量計７および冷却装置５は、防護ボックス１内に収納されている。
【００２３】
本実施形態の放射線照射装置は、線量計プローブ７ａを用いたＸ線照射範囲内の線量率分布の自動測定と、測定した線量率に基づいて線量計プローブ７ａの位置調整を自動で行うことを可能にするため、以下のような構造を備えている。
【００２４】
（実施形態１）
以下、本実施形態の放射線照射装置において、線量率分布の自動測定と、線量計プローブ７ａの自動位置調整を可能にする構成について説明する。
【００２５】
まず、線量計プローブ７ａの送り出し機構４０について説明する。実施形態１の線量計プローブ７ａの送り出し機構４０は、図２のように遮蔽体１ａの防護カバー３０内に配置されている。送り出し機構４０は、図３のように、線量計プローブ７ａと線量計７を電気的に接続するケーブル３１を巻き取る巻き取り機構３２と、ケーブル３１をＸ線照射範囲（トレイ１３）の方向に送り出す送り機構３３とを備えている。
【００２６】
巻き取り機構３２は、巻回されたバネの長手方向に沿ってケーブル３１を固定した構造であり、バネが巻き戻ることにより、ケーブル３１がバネと共に巻きとられる。巻回されたバネの中心には、スリップリング１３３が配置されている。スリップリング１３３は、固定部と、固定部と電気的な接触を維持しながら回転する回転部とを有する。スリップリング１３３の回転部の端子にはケーブル３１の一端が電気的に接続されている。スリップリング１３３の固定部の端子には、配線を介して線量計７が電気的に接続されている。これにより、ケーブル３１と線量計７が電気的に接続されている。
【００２７】
ケーブル３１の他端は、線量計プローブ７ａに接続されている。送り機構３３は、ケーブル３１をバネとともに両側から挟み込んで長手方向に送り出すように配置された一対のローラーを含む。これにより、不図示の駆動部によってローラー３３ａを回転させることにより線量計プローブ７ａをトレイ１３の方向に送り出すことができる。また、ローラー３３ａを逆方向に回転させることにより、線量計プローブ７ａをトレイ１３から離れる方向に巻き取ることができる。もしくは、ローラー３３ａに内蔵されているブレーキを緩めることにより、ケーブル３１が固定されたバネの巻き戻る力によって、線量計プローブ７ａをトレイ１３から離れる方向に巻き取ることができる。ローラー３３ａの駆動部およびブレーキは、制御装置６によりその動作を制御されている。
【００２８】
つぎに、Ｘ線照射範囲の線量率分布の測定するために用いるファントム５０について説明する。本実施形態では、線量計プローブ７ａをＸ線照射範囲内で所定の軌跡で移動させるため、線量計プローブ７ａを導くガイド孔５１を備えたファントム５０を用いる。
【００２９】
具体的には、ファントム５０は、図４、図５のように、所定の厚さの樹脂製のリング状であり、その厚さ方向の中心には、周方向に沿って、線量計プローブ７ａが挿入できる径のガイド孔５１が設けられている。リング状のファントム５０の外周面の一か所には、ガイド孔５１に線量計プローブ７ａを導いて挿入するため開口５２が設けられている。開口５２は、線量計プローブ７ａを環状のガイド孔５１に線量計プローブ７ａを滑らかに挿入可能にするため、ガイド孔５１の接線方向に設けられている。
【００３０】
ファントム５０の厚さと材質は、予め定められた厚さの照射対象１３ａの中心と同程度のＸ線が線量計プローブ７ａによって検出されるように、材質および厚さが設計されている。例えば、ファントム５０の材質としては、アクリル樹脂を用いることができる。
【００３１】
実施形態１において、リング状のファントム５０を用いるのは次のような理由による。図６に示すように、Ｘ線管装置２，３から照射される線量は、ヒール効果によりアノード側の方がカソード側よりも小さくなることが知られている。このため、本実施形態の放射線照射装置では、２つのＸ線管装置２とＸ線管装置３は、アノード側とカソード側を互い違いになるように対向配置され、線量分布を打ち消しあうように構成されている。これにより、図６のように、Ｘ線照射範囲のアノードとカソードの方向のＸ線照射範囲については、２つのＸ線管装置２、３からの線量分布を重畳した線量が照射され、２つのＸ線管装置２，３の線量が互いに同等である場合には、Ｘ線照射範囲の中心軸が最も大きく、両端が最も小さい対称な線量分布となる。また２つのＸ線管装置２，３のいずれかが劣化して線量が低下したり、陽極の荒れにより線量分布が変化した場合には、非対称な線量分布となる。本実施形態では、アノード−カソード方向は、Ｘ線照射範囲の線量計プローブ７ａに近い図２の位置Ｂと、それと向かい合うＡの方向に対応している。また、Ａ−Ｂ方向に直交するＣ−Ｄ方向の線量分布は、Ｘ線照射範囲の中心軸が最も大きく、両端が最も小さいほぼ対称な線量分布となる。
【００３２】
上述のように、Ｘ線照射範囲の線量分布は、劣化がない場合には、Ａ−Ｂ方向およびＣ−Ｄ方向いずれについても中心軸付近が最も大きく、周縁部に最小の線量となる領域が存在する。また、劣化が生じた場合にも、最大線量の位置は、中心軸からずれる可能性があるが、最小線量となる領域は、Ｘ線照射範囲の周縁部に存在する。
【００３３】
よって、実施形態１では、リング状のファントム５０を用い、線量計プローブ７ａをファントム５０内でガイド孔５１に沿って移動させることにより、Ｘ線照射範囲の周縁にそって線量分布を測定する。
【００３４】
以下、制御装置６が、Ｘ線照射範囲の線量率分布の自動測定を行う動作について説明する。制御装置６は、制御装置６は、操作者から線量率分布測定の指示を操作盤８を介して受けた場合、もしくは、予め定めたタイミング（例えば、所定の期間や所定のＸ線照射時間ごと）に、内蔵するメモリに予め格納されたプログラムを読み込んで実行することにより、図８のフローのように動作する。
【００３５】
まず、操作盤８の表示装置に予め定めておいた表示を表示させる。この表示により、操作者に対して、トレイ搭載部１０を引き出し、トレイ１３を取り外し、トレイ１３が配置されていたＸ線照射範囲にファントム５０を位置合わせして配置するように促す（ステップ４１）。さらに、補正フィルター２５を退避位置まで退避させるように促す。この表示を見た操作者は、図５のように、ファントム５０をＸ線照射範囲に配置する。ファントム５０の開口５２は、線量計プローブ７ａに向けて位置合わせして配置する。また、操作者は、補正フィルター２５が線量計プローブ７ａに被さっている場合には、不図示の機構部を操作して退避位置まで移動させる。なお、位置合わせを容易にするために、ファントム５０の下部に、トレイ搭載部１０と係合する凹凸等を設けておくことも可能である。
【００３６】
操作者が、トレイ搭載部１０を元の位置に戻したならば、Ｘ線管装置２，３からＸ線照射を開始する（ステップ４２）。これにより、ファントム５０にはＸ線が照射される。
【００３７】
制御装置６は、送り出し機構４０のローラー３３ａを回転させ、線量計プローブ７ａをファントム５０の方向に送り出す（ステップ４３）。ケーブル３１が固定されているバネの弾性により、線量計プローブ７ａはファントム５０の方向に進み、開口５２に挿入される。さらに制御装置６が、ローラー３３ａを所定の回転速度で回転させ、線量計プローブ７ａを送り出すと、線量計プローブ７ａは、図７のようにガイド孔５１に挿入されて、ガイド孔５１に沿ってファントム５０の内部を一定の速度で進む。
【００３８】
制御装置６は、線量計プローブ７ａを移動させながら連続して、もしくは、ファントム５０内の複数箇所において線量計プローブ７ａを停止させながら、線量計プローブ７ａの検出線量を線量計７により計測する（ステップ４４）。これにより、Ｘ線照射範囲の周縁部に沿った環状のファントム５０内の線量を、周方向の複数箇所で測定することができる。
【００３９】
予め定めたファントム５０を一周する長さだけ線量計プローブ７ａを送り出したならば、制御装置６は送り出しを停止する。そして制御装置６は、測定結果から線量率を求め、最小の線量率を求める（ステップ４５）。
【００４０】
制御装置６は、送り出し機構４０のローラー３３ａを駆動部により逆回転させるか、ローラー３３ａのブレーキを解除する。これにより、ケーブル３１の固定されたバネをケーブル巻き取り機構３２に巻き取る。これにより、線量計プローブ７ａをファントム５０から脱出させ、元の位置に引き戻す（ステップ４６）。
【００４１】
制御装置６は、元の位置で線量計プローブ７ａが検出する線量を線量計７に計測させ、線量率がステップ４５で求めた最小の線量率以下となるように、ローラー３３ａを回転駆動し、線量計プローブ７ａの位置を調整する（ステップ４７）。これにより、Ｘ線照射範囲内の最小の線量率以下の位置に、線量計プローブ７ａを位置調整して配置することができる。
【００４２】
制御装置６は、Ｘ線管装置２，３のＸ線照射を停止させ、ファントム５０の取り外しを操作者に促す表示を操作盤８の表示装置に表示させる（ステップ４８）。このとき、計測した線量分布を、表示装置に表示することも可能である。操作者は、表示を見て、ファントム５０をトレイ搭載部１０から取り外し、トレイ１３を取り付ける。
【００４３】
以上により、Ｘ線照射範囲の線量分布の測定と、線量計プローブ７ａの位置調整を制御装置６の制御下で自動で行うことができる。上記測定方法では、リング状のファントム５０を用いてＸ線照射範囲の周縁部の線量を、１周にわたって計測することができるため、Ｘ線照射範囲の周縁のどの位置で線量率が低下した場合であっても確実に最も低い線量率を求めることができる。
【００４４】
また、操作者は、通常の照射対象１３ａをセットする場合と同様に、トレイ搭載部１０を引き出して、トレイ１３を取り外し、ファントム５０を配置するだけでよく、重い防護カバー３０を着脱する必要がない。よって、Ｘ線照射範囲の線量率の分布測定および線量計プローブの位置調整を、操作者の負担を最小限にして、しかも、短時間で精度よく行うことができる。
【００４５】
また、実施形態１では、環状のファントムを用いたが、円盤状のファントムを用い、円盤状のファントム内に所望の軌跡のガイド孔５１を設けることも可能である。例えば、らせん状等にガイド孔５１を設けることができる。これにより、Ｘ線照射領域の所望の位置で線量率を測定することができるため、操作者の望む位置で線量率を測定することができる。
【００４６】
（実施形態２）
実施形態２の線量計プローブ７ａの送り出し機構７０と、ファントム６０について説明する。
【００４７】
本実施形態では、図９、図１０（ａ），（ｂ）のように、径の異なる筒を連結した伸縮ポールを送り出し機構７０として用いる。すなわち、実施形態２の送り出し機構７０は、線量計プローブ７ａを直動させる機構である。伸縮ポールの径の異なる筒と筒の間には、ラックとピニオン等の送り出し機構が配置されている。ケーブル３１は、連結された外側筒の内壁面と、内側の筒の外壁面が接触する位置に配置され、筒が伸縮しても電気的接続が維持されるように構成されている。
【００４８】
ラックとピニオン等の筒の送り出し機構の代わりに、筒の内部に実施形態１の送り出し機構４０を配置してもよい。この構成の場合、複数の筒は、直動ガイドとして用いられる。
【００４９】
ファントム６０は、図１１（ａ）のように、直方体であり、厚さ方向の中心部に中心軸が直線状のガイド孔６１が設けられているものを用いる。ガイド孔６１は、線量計プローブ７ａが挿入できる径を有し、線量計プローブ７ａをガイドする。ファントム６０の材質や厚さは、実施形態１と同様である。
【００５０】
また、ファントム６０を、Ｘ線照射範囲のＡ−Ｂ方向に沿って配置するために、図１１（ｂ）のようにファントムホルダー６３を用いる。ファントムホルダー６３は、ファントム６０の外形に対応した溝６４を備えている。
【００５１】
このように線量計プローブ７ａを直動させる送り出し機構７０と、直線状のガイド溝を備えたファントム６０を用いるのは、Ｘ線照射範囲内で最も線量率が小さくなるのが、Ｘ線管装置２，３のヒール効果により、カソードおよび／またはアノードに対応する位置ＡまたはＢであるためである。すなわち、ヒール効果により、アノード側の線量が小さい線量分布を、２つのＸ線発生装置２，３を互い違いに向かい合わせることにより補いあっているため、一方のＸ線発生装置が劣化すると、線量分布は、位置ＡまたはＢにおいて大きく低下し、最小となる。他方、位置Ｃ、Ｄの方向は、ヒール効果がないため、劣化により一様に線量が低減し、Ｘ線照射範囲の最小の線量にはならない。よって、実施形態２では、位置Ａ−Ｂ方向に沿った線量を測定することにより、最小の線量率を測定する。
【００５２】
放射線照射装置の他の構成は、実施形態１と同様であるので説明を省略する。
【００５３】
制御装置６が、Ｘ線照射範囲の線量率分布の測定および線量計プローブ７ａの位置調整を行う動作は、実施形態１の図８の動作と同様であるので、実施形態１と異なる部分のみ説明する。
【００５４】
図８のステップ４１において、操作者はファントム６０を配置する際に、まず、図１２のように、溝６４の軸方向をＡ−Ｂ方向に一致させてファントムホルダー６３を配置し、溝６４内にファントム６０を配置する。ステップ４３において、制御装置６は、線量計プローブ７ａを送り出すために、送り出し機構７０の駆動部を動作させ（例えば、ピニオンを回転させ）、図１３のように、伸縮ポールを伸長させる。これにより、線量計プローブ７ａを、ファントム６０の開口６２からガイド孔６１内に挿入する。ステップ４４において、ファントム６０内のガイド孔６１に沿って線量の分布を計測する。これにより、Ａ−Ｂ方向の線量率分布が求められ、最小の線量率が、位置Ａまたは位置Ｂにおいて検出される。ステップ４６において、線量計プローブ７ａを引き戻す際には、制御装置６は、伸縮ポールを縮める。他のステップは、実施形態１と同様である。
【００５５】
実施形態２においても、実施形態１と同様に、重い防護カバー３０を着脱することなく、Ｘ線照射範囲の線量率の分布測定および線量計プローブの位置調整を短時間で行うことができ、操作者の負担を最小限にできる。
【００５６】
なお、本実施形態では、ファントムホルダー６３を用いて、直方体のファントム６０をＡ−Ｂ方向に容易に位置合わせして配置しているが、ファントムホルダー６３を用いず、直方体のファントム６０を直接、トレイ搭載部１０ａに配置することも可能である。
【００５７】
（実施形態３）
実施形態３では、図１４のように、線量計プローブ７ａの先端にファントム８０を装着する構成とする。線量計プローブ７ａの送り出し機構７０は、実施形態２と同様のものを用いる。
【００５８】
具体的には、ファントム８０は、直方体であって、線量計プローブ７ａの先端が挿入可能な挿入穴８１が設けられている。ファントム８０の挿入穴８１方向の長さは、線量計プローブ７ａが挿入できる大きさがあればよく、線量計プローブ７ａに装着されて、Ｘ線照射範囲を移動可能な重さになるように、最小限の大きさに形成されている。ファントム８０の材質および厚さは、実施形態１，２と同様である。
【００５９】
ファントム８０の挿入穴８１の開口の周囲には、金属片８２が配置され、線量計プローブ７ａに金属片８２と電磁力により吸着するための電磁石８３が配置されている。
【００６０】
また、ファントム８０には、通常の放射線照射時に退避位置にファントム８０を退避させ、線量分布測定時には、線量計プローブ７ａの前方まで移動させる駆動部が接続されている。
【００６１】
実施形態３の、線量分布測定動作では、図８のステップ４１において、操作者は、トレイ１３を外すだけでよく、制御装置６が、ファントム８０の駆動部を動作させて、ファントムを退避位置から線量計プローブ７ａの前方に移動させる。これにより、ステップ４３において、送り出し機構７０が線量計プローブ７ａを直動させて送り出すと、線量計プローブ７ａが前方に配置されたファントム８０の挿入穴８１に挿入される。また、制御装置６が、電磁石８３を動作させることにより、電磁石８３が金属片８２を吸引する。これにより、線量計プローブ７ａにファントム８０が装着された状態となる。よって、送り出し機構７０により線量計プローブ７ａをまっすぐに送り出すと、ファントム８０が装着された状態で線量計プローブ７ａは移動する。その状態で、ステップ４４において線量を計測することにより、実施形態２と同様にＡ−Ｂ方向の線量の測定を行うことができる。
【００６２】
図８のステップ４６では、送り出し機構７０により、線量計プローブ７ａを引き戻し、所定の位置まで戻ったならば、制御装置６は、電磁石８３をオフにし、さらに線量計プローブ７ａを引き戻す。これにより、線量計プローブ７ａからファントム８０が外れる。制御装置６は、ファントム８０の駆動部を動作させて、退避位置までファントム８０を退避させる。他の動作は、実施形態２と同様である。
【００６３】
実施形態３では、操作者がファントム８０をトレイ搭載部１０上に配置する必要がなく、操作者の負担を実施形態１、２よりもさらに軽減することができる。
【００６４】
なお、実施形態３において、実施形態２のファントムホルダー６３をＸ線照射範囲に配置して、ファントム８０をガイドすることも可能である。
【００６５】
上述してきた実施形態１〜３では、巻き取り機構と直動機構の送り出し機構について説明したが、本発明は、これらの機構に限定されるものではなく、ステッピングモータ等他の機構を用いることも可能である。
【００６６】
なお、本実施形態では、放射線照射装置として、Ｘ線を照射する装置について説明したが、ガンマ線等他の種類の放射線を照射する装置についても同様に本発明を適用することができる。
【符号の説明】
【００６７】
１  防護ボックス
ｌａ  遮蔽体
ｌｂ  照射室
２  上部Ｘ線管装置
２ａ  上部Ｘ線線束
３  下部Ｘ線管装置
３ａ下部Ｘ線線束
４  高電圧発生ユニット
４ａ高電圧発生装置
４ｂ高電圧発生装置
５  冷却装置
６  制御装置
７  線量計
７ａ線量計プローブ
８  操作盤（タッチパネル）
９  循環式冷却装置もしくは水道水
１０  トレイ部
１ｌ  Ｘ線フィルター
１２  Ｘ線フィルター
１３  バーコード付トレイ
１４  バーコードリーダー
２５  補正フィルター
３０  防護カバー
４０、７０  送り出し機構
５０、６０  ファントム
【図１】
2016142631.tif 000003
【図２】
2016142631.tif 000004
【図３】
2016142631.tif 000005
【図４】
2016142631.tif 000006
【図５】
2016142631.tif 000007
【図６】
2016142631.tif 000008
【図７】
2016142631.tif 000009
【図８】
2016142631.tif 000010
【図９】
2016142631.tif 000011
【図１０】
2016142631.tif 000012
【図１１】
2016142631.tif 000013
【図１２】
2016142631.tif 000014
【図１３】
2016142631.tif 000015
【図１４】
2016142631.tif 000016